【手続補正書】
【提出日】平成24年2月27日(2012.2.27)
【手続補正１】
【補正対象書類名】明細書
【補正対象項目名】発明の名称
【補正方法】変更
【補正の内容】
【発明の名称】レシート印刷装置、レシート印刷装置の制御方法およびプログラム
【手続補正２】
【補正対象書類名】明細書
【補正対象項目名】０００１
【補正方法】変更
【補正の内容】
【０００１】
偽造防止の必要性がある印刷物を作成するレシート印刷装置、レシート印刷装置の制御方法およびプログラムに関するものである。
【手続補正３】
【補正対象書類名】明細書
【補正対象項目名】０００７
【補正方法】変更
【補正の内容】
【０００７】
本発明は、上記の問題点に鑑み、偽造印刷物の作成が不可能なレシート印刷装置、レシート印刷装置の制御方法およびプログラムを提供することを目的とする。
【手続補正４】
【補正対象書類名】明細書
【補正対象項目名】０００８
【補正方法】変更
【補正の内容】
【０００８】
本発明のレシート印刷装置は、登録情報を暗号化した暗号化情報を記憶する記憶手段と、外部から、特定情報を取得する特定情報取得手段と、特定情報と、暗号化情報を復号化した登録情報と、を照合する照合手段と、照合手段による照合が成立した場合、印刷を許可する印刷許可手段と、印刷許可手段により印刷が許可された場合、印刷を行う印刷手段と、を備えたことを特徴とする。
上記に記載のレシート印刷装置において、特定情報取得手段は、外部であるＰＯＳ端末から取得した会計情報に含まれる特定情報を取得し、印刷手段は、印刷許可手段により印刷が許可された場合、会計情報を印刷することが好ましい。
上記に記載のレシート印刷装置において、特定情報取得手段は、外部である所定の記録媒体を読み取ることによって、特定情報を取得することが好ましい。
本発明の他のレシート印刷装置は、登録情報を記憶する記憶手段と、第１の特定情報が記録された所定の記録媒体を読み取る読み取り手段と、第１の特定情報と、登録情報と、を照合する第１照合手段と、第１照合手段による照合が成立した場合、印刷を許可する印刷許可モードに設定するモード設定手段と、ＰＯＳ端末から、第２の特定情報が含まれる会計情報を取得する会計情報取得手段と、第２の特定情報と、登録情報と、を照合する第２照合手段と、印刷許可モード時であって、且つ第２照合手段による照合が成立した場合、印刷を許可する印刷許可手段と、印刷許可手段により印刷が許可された場合、会計情報を印刷する印刷手段と、を備えたことを特徴とする。
上記に記載のレシート印刷装置において、記憶手段は、登録情報を暗号化した暗号化情報を記憶しており、第１照合手段および第２照合手段は、暗号化情報を復号化した登録情報と照合を行うことが好ましい。
上記に記載のレシート印刷装置において、印刷手段は、会計情報と共に、登録情報または暗号化情報を印刷することが好ましい。
上記に記載のレシート印刷装置において、モード設定手段は、レシート印刷装置の電源切断に伴って、印刷を許可しない印刷非許可モードに設定することが好ましい。
上記に記載のレシート印刷装置において、ＰＯＳ端末から、印刷を許可しない印刷非許可モードに切り換えるための切り換え信号を取得する切り換え信号取得手段をさらに備え、モード設定手段は、切り換え信号の取得に伴って、印刷非許可モードに設定することが好ましい。
上記に記載のレシート印刷装置において、レシート印刷装置の設置位置を示す位置情報を取得する位置情報取得手段をさらに備え、印刷手段は、会計情報と共に、位置情報を印刷することが好ましい。
上記に記載のレシート印刷装置において、登録情報は、少なくとも、レシート印刷装置とＰＯＳ端末が導入された店舗の店舗ＩＤ、ＰＯＳ端末を一意に特定するレジＩＤ、店舗のレジ係であるレジ担当者ＩＤ、のいずれか１つを含むことが好ましい。
上記に記載のレシート印刷装置において、所定の記録媒体は、磁気カード、ＩＣカード、所定のコードが印刷された印刷媒体、のいずれかであることが好ましい。
本発明のレシート印刷装置の制御方法は、登録情報を暗号化した暗号化情報を記憶する記憶手段を備えたレシート印刷装置の制御方法であって、レシート印刷装置が、外部から、特定情報を取得する特定情報取得ステップと、記憶手段から暗号化情報を読み出し、当該暗号化情報を復号化するステップと、取得した特定情報と、復号化した登録情報と、を照合するステップと、照合が成立した場合、印刷を許可する印刷許可ステップと、を実行することを特徴とする。
上記に記載のレシート印刷装置の制御方法において、特定情報取得ステップは、外部であるＰＯＳ端末から取得した会計情報に含まれる特定情報を取得し、レシート印刷装置が、印刷許可ステップにより印刷が許可された場合、会計情報を印刷する印刷ステップをさらに実行することが好ましい。
上記に記載のレシート印刷装置の制御方法において、特定情報取得ステップは、外部である所定の記録媒体を読み取ることによって、特定情報を取得することが好ましい。
本発明の他のレシート印刷装置の制御方法は、登録情報を記憶する記憶手段を備えたレシート印刷装置の制御方法であって、レシート印刷装置が、第１の特定情報が記録された所定の記録媒体を読み取るステップと、読み取った第１の特定情報と、記憶手段から読み出した登録情報と、を照合するステップと、第１の特定情報と登録情報との照合が成立した場合、印刷モードを、印刷を許可する印刷許可モードに設定するモード設定ステップと、ＰＯＳ端末から、第２の特定情報が含まれる会計情報を取得するステップと、取得した第２の特定情報と、記憶手段から読み出した登録情報と、を照合するステップと、印刷許可モード時であって、且つ第２の特定情報と登録情報との照合が成立した場合、印刷を許可するステップと、印刷が許可された場合、会計情報を印刷するステップと、を実行することを特徴とする。
上記に記載のレシート印刷装置の制御方法において、モード設定ステップは、レシート印刷装置の電源切断に伴って、印刷モードを、印刷を許可しない印刷非許可モードに設定することが好ましい。
上記に記載のレシート印刷装置の制御方法において、ＰＯＳ端末から、印刷を許可しない印刷非許可モードに切り換えるための切り換え信号を取得するステップをさらに実行し、モード設定ステップは、切り換え信号の取得に伴って、印刷モードを、印刷非許可モードに設定することが好ましい。
本発明のプログラムは、コンピューターに、上記に記載のレシート印刷装置の制御方法における各ステップを実行させることを特徴とする。
なお、以下の構成としても良い。
本発明の印刷装置は、登録情報を暗号化した暗号化情報を記憶する記憶手段と、外部から、特定情報を取得する特定情報取得手段と、特定情報と、暗号化情報を復号化した登録情報と、を照合する照合手段と、照合手段による照合が成立した場合、印刷を許可する印刷許可手段と、印刷許可手段により印刷が許可された場合、印刷を行う印刷手段と、を備えたことを特徴とする。
【手続補正５】
【補正対象書類名】明細書
【補正対象項目名】００３１
【補正方法】変更
【補正の内容】
【００３１】
以下、本発明の一実施形態に係るレシート印刷装置、レシート印刷装置の制御方法およびプログラムについて、添付図面を参照しながら詳細に説明する。本実施形態では、本発明の印刷装置を、レシート印刷装置に適用した場合を例示する。
【手続補正６】
【補正対象書類名】特許請求の範囲
【補正対象項目名】全文
【補正方法】変更
【補正の内容】
【特許請求の範囲】
【請求項１】
登録情報を暗号化した暗号化情報を記憶する記憶手段と、
外部から、特定情報を取得する特定情報取得手段と、
前記特定情報と、前記暗号化情報を復号化した前記登録情報と、を照合する照合手段と、
前記照合手段による照合が成立した場合、印刷を許可する印刷許可手段と、
前記印刷許可手段により印刷が許可された場合、印刷を行う印刷手段と、
を備えたことを特徴とするレシート印刷装置。
【請求項２】
前記特定情報取得手段は、前記外部であるＰＯＳ端末から取得した会計情報に含まれる前記特定情報を取得し、
前記印刷手段は、前記印刷許可手段により印刷が許可された場合、前記会計情報を印刷することを特徴とする請求項１に記載のレシート印刷装置。
【請求項３】
前記特定情報取得手段は、前記外部である所定の記録媒体を読み取ることによって、前記特定情報を取得することを特徴とする請求項１に記載のレシート印刷装置。
【請求項４】
登録情報を記憶する記憶手段と、
第１の特定情報が記録された所定の記録媒体を読み取る読み取り手段と、
前記第１の特定情報と、前記登録情報と、を照合する第１照合手段と、
前記第１照合手段による照合が成立した場合、印刷を許可する印刷許可モードに設定するモード設定手段と、
ＰＯＳ端末から、第２の特定情報が含まれる会計情報を取得する会計情報取得手段と、
前記第２の特定情報と、前記登録情報と、を照合する第２照合手段と、
前記印刷許可モード時であって、且つ前記第２照合手段による照合が成立した場合、印刷を許可する印刷許可手段と、
前記印刷許可手段により印刷が許可された場合、前記会計情報を印刷する印刷手段と、を備えたことを特徴とするレシート印刷装置。
【請求項５】
前記記憶手段は、前記登録情報を暗号化した暗号化情報を記憶しており、
前記第１照合手段および前記第２照合手段は、前記暗号化情報を復号化した前記登録情報と照合を行うことを特徴とする請求項４に記載のレシート印刷装置。
【請求項６】
前記印刷手段は、前記会計情報と共に、前記登録情報または前記暗号化情報を印刷することを特徴とする請求項５に記載のレシート印刷装置。
【請求項７】
前記モード設定手段は、レシート印刷装置の電源切断に伴って、印刷を許可しない印刷非許可モードに設定することを特徴とする請求項４ないし６のいずれか１項に記載のレシート印刷装置。
【請求項８】
前記ＰＯＳ端末から、印刷を許可しない印刷非許可モードに切り換えるための切り換え信号を取得する切り換え信号取得手段をさらに備え、
前記モード設定手段は、前記切り換え信号の取得に伴って、前記印刷非許可モードに設定することを特徴とする請求項４ないし７のいずれか１項に記載のレシート印刷装置。
【請求項９】
レシート印刷装置の設置位置を示す位置情報を取得する位置情報取得手段をさらに備え、
前記印刷手段は、前記会計情報と共に、前記位置情報を印刷することを特徴とする請求項４ないし８のいずれか１項に記載のレシート印刷装置。
【請求項１０】
前記登録情報は、少なくとも、前記レシート印刷装置と前記ＰＯＳ端末が導入された店舗の店舗ＩＤ、前記ＰＯＳ端末を一意に特定するレジＩＤ、前記店舗のレジ係であるレジ担当者ＩＤ、のいずれか１つを含むことを特徴とする請求項２または４に記載のレシート印刷装置。
【請求項１１】
前記所定の記録媒体は、磁気カード、ＩＣカード、所定のコードが印刷された印刷媒体、のいずれかであることを特徴とする請求項３または４に記載のレシート印刷装置。
【請求項１２】
登録情報を暗号化した暗号化情報を記憶する記憶手段を備えたレシート印刷装置の制御方法であって、
前記レシート印刷装置が、
外部から、特定情報を取得する特定情報取得ステップと、
前記記憶手段から前記暗号化情報を読み出し、当該暗号化情報を復号化するステップと、
取得した前記特定情報と、復号化した前記登録情報と、を照合するステップと、
照合が成立した場合、印刷を許可する印刷許可ステップと、を実行することを特徴とするレシート印刷装置の制御方法。
【請求項１３】
前記特定情報取得ステップは、前記外部であるＰＯＳ端末から取得した会計情報に含まれる前記特定情報を取得し、
前記レシート印刷装置が、
前記印刷許可ステップにより印刷が許可された場合、前記会計情報を印刷する印刷ステップをさらに実行することを特徴とする請求項１２に記載のレシート印刷装置の制御方法。
【請求項１４】
前記特定情報取得ステップは、前記外部である所定の記録媒体を読み取ることによって、前記特定情報を取得することを特徴とする請求項１２に記載のレシート印刷装置の制御方法。
【請求項１５】
登録情報を記憶する記憶手段を備えたレシート印刷装置の制御方法であって、
前記レシート印刷装置が、
第１の特定情報が記録された所定の記録媒体を読み取るステップと、
読み取った前記第１の特定情報と、前記記憶手段から読み出した登録情報と、を照合するステップと、
前記第１の特定情報と前記登録情報との照合が成立した場合、印刷モードを、印刷を許可する印刷許可モードに設定するモード設定ステップと、
ＰＯＳ端末から、第２の特定情報が含まれる会計情報を取得するステップと、
取得した前記第２の特定情報と、前記記憶手段から読み出した前記登録情報と、を照合するステップと、
前記印刷許可モード時であって、且つ前記第２の特定情報と前記登録情報との照合が成立した場合、印刷を許可するステップと、
印刷が許可された場合、前記会計情報を印刷するステップと、を実行することを特徴とするレシート印刷装置の制御方法。
【請求項１６】
前記モード設定ステップは、レシート印刷装置の電源切断に伴って、前記印刷モードを、印刷を許可しない印刷非許可モードに設定することを特徴とする請求項１５に記載のレシート印刷装置の制御方法。
【請求項１７】
前記ＰＯＳ端末から、印刷を許可しない印刷非許可モードに切り換えるための切り換え信号を取得するステップをさらに実行し、
前記モード設定ステップは、前記切り換え信号の取得に伴って、前記印刷モードを、前記印刷非許可モードに設定することを特徴とする請求項１５または１６に記載のレシート印刷装置の制御方法。
【請求項１８】
コンピューターに、請求項１２ないし１７のいずれか１項に記載のレシート印刷装置の制御方法における各ステップを実行させるためのプログラム。